(57)【要約】【課題】電子機器の操作スイッチを実装するための従来のプリント配線基板を不要とし、部品点数及び組立工数を少なくしてコストダウンを達成できる液晶モジュールを提供する。【解決手段】液晶パネル６の一辺に沿ってプリント配線基板９ａを配置し、ドライバＩＣチップ１０ａを実装したフレキシブル配線板１１ａを液晶パネル６とプリント配線基板９ａに接続すると共に、液晶パネル６の背後に光学シート５ａ，５ｂと光源３を配設した液晶モジュールにおいて、上記プリント配線基板９ａに、この液晶モジュールが組み込まれる電子機器の操作スイッチＳＷを実装した構成とする。プリント配線基板９ａを、操作スイッチ実装用の基板として兼用することで、操作スイッチ実装用の基板を不要とし、部品点数及び組立工数を少なくしてコストダウンを達成する。【選択図】図１
2009098385.tif 000002
【特許請求の範囲】
【請求項１】
液晶パネルの一辺に沿ってプリント配線基板を配置し、ドライバＩＣチップを実装したフレキシブル配線板を液晶パネルとプリント配線基板に接続すると共に、液晶パネルの背後に光学シートと光源を配設した液晶モジュールにおいて、
上記プリント配線基板に、この液晶モジュールが組み込まれる電子機器の操作スイッチを実装したことを特徴とする液晶モジュール。
【請求項２】
上記操作スイッチを、上記電子機器のキャビネットに一体形成された操作ボタンで操作するようにした請求項１に記載の液晶モジュール。
【請求項３】
上記プリント配線基板を上記液晶パネルの上辺に沿って配置し、上記プリント配線基板に実装した操作スイッチを、上記電子機器のキャビネットの天板に一体形成された操作ボタンで操作するようにした請求項１又は請求項２に記載の液晶モジュール。
【請求項４】
上記電子機器がテレビである請求項１ないし請求項３のいずれかに記載の液晶モジュール。
【発明の詳細な説明】
【技術分野】
【０００１】
本発明は液晶モジュールに関し、特に、この液晶モジュールが組み込まれる電子機器の操作スイッチを実装するためのプリント配線基板を省略できるように改良した液晶モジュールに関する。
【背景技術】
【０００２】
従来の液晶モジュールが組み込まれるテレビ等の電子機器においては、電子機器の操作スイッチを実装するためのプリント配線基板が、メインのプリント配線基板や液晶モジュールのプリント配線基板とは別に設けられている。
【０００３】
一方、ハードスイッチとタッチパネルを有する表示装置であって、表示装置の動作を制御する制御基板と、ハードスイッチに対する操作を検出するスイッチ基板と、これらを接続するケーブルとを備えた表示装置（特許文献１）や、液晶表示パネルの基板上にアクティブマトリクス表示領域、垂直駆動回路及び複数のソースラインにまとめて信号を供給する水平エージング回路等を設けた表示パネル（特許文献２）や、ゲート線駆動回路を基板上に直接形成すると共に、信号線駆動回路を、基板上に直接形成した選択回路とＴＣＰ上に実装された信号駆動用ＩＣとで構成した表示装置（特許文献３）などが提案されている。
【特許文献１】特開２００６−７８５４７号公報
【特許文献２】特開２００２−４０４６４号公報
【特許文献２】特開２００１−１０９４３５号公報
【発明の開示】
【発明が解決しようとする課題】
【０００４】
しかしながら、従来のように、電子機器の操作スイッチを実装するためのプリント配線基板が別に設けられていると、その分だけ部品点数や組立工数が増え、コストアップを招くという問題があった。
【０００５】
一方、上記特許文献１〜３の表示装置や表示パネルは、操作スイッチを実装するプリント配線基板の省略を目的としたものではないため、上記の問題を解決することはできない。
【０００６】
本発明は上記事情の下になされたもので、その解決しようとする課題は、電子機器の操作スイッチを実装するための従来のプリント配線基板を不要とし、部品点数及び組立工数を少なくしてコストダウンを達成できる液晶モジュールを提供することにある。
【課題を解決するための手段】
【０００７】
上記課題を解決するため、本発明に係る液晶モジュールは、液晶パネルの一辺に沿ってプリント配線基板を配置し、ドライバＩＣチップを実装したフレキシブル配線板を液晶パネルとプリント配線基板に接続すると共に、液晶パネルの背後に光学シートと光源を配設した液晶モジュールにおいて、上記プリント配線基板に、この液晶モジュールが組み込まれる電子機器の操作スイッチを実装したことを特徴とするものである。
【０００８】
本発明の液晶モジュールにおいては、上記操作スイッチを、上記電子機器のキャビネットに一体形成された操作ボタンで操作できるようにすることが好ましく、特に、上記プリント配線基板を上記液晶パネルの上辺に沿って配置し、上記プリント配線基板に実装した操作スイッチを、上記電子機器のキャビネットの天板に一体形成された操作ボタンで操作できるようにすることが好ましい。
【０００９】
本発明の液晶モジュールは種々の電子機器に組み込まれるが、その代表的な電子機器はテレビである。
【発明の効果】
【００１０】
本発明の液晶モジュールのように、液晶パネルの一辺に沿って配置され、かつドライバＩＣチップを実装したフレキシブル配線板を介して液晶パネルと接続されたプリント配線基板に操作スイッチが実装されると、従来の操作スイッチを実装するためのプリント配線基板が不要となり、その分だけ部品点数及び組立工数が減少するので、コストダウンを達成することができる。
【００１１】
そして、上記操作スイッチを、上記電子機器のキャビネットに一体形成された操作ボタンで操作できるようにしたものは、キャビネットに操作ボタンを別途取り付ける必要がなくなるので、部品点数及び組立工数が更に減少し、より一層コストダウンを達成することができる。特に、液晶パネルの上辺に沿って配置したプリント配線基板に操作スイッチを実装し、電子機器のキャビネットの天板に一体形成された操作ボタンで操作するように構成すると、操作ボタンが見やすく、押しやすいので、ボタンの操作性が向上する利点がある。
【発明を実施するための最良の形態】
【００１２】
以下、図面を参照して本発明の具体的な実施形態を詳述する。
【００１３】
図１は本発明の一実施形態に係る液晶モジュールの概略分解斜視図、図２は同液晶モジュールを組み込んだ薄型テレビの概略縦断面図、図３は同薄型テレビのキャビネットの操作ボタンを一体形成した部分の斜視図、図４は同薄型テレビのキャビネットの操作ボタンを指先で押した状態を示す拡大部分断面図、図５は同液晶モジュールを組み込んだ他の薄型テレビの拡大部分断面図である。
【００１４】
この液晶モジュールは、図１に示すように、リアフレーム１、反射シート２、冷陰極管３，３、樹脂フレーム４，４、光学シート５ａ，５ｂ、液晶パネル６、ベゼル７，７などの主要構成部品からなるものであって、図１，図２に示すように、前面が開口した浅い箱形のリアフレーム１の内側には反射シート２が設けられており、この反射シート２の前面側には、光源としてＵ形に曲成された冷陰極管３，３が配設されている。これらの冷陰極管３，３には、コネクタ付きケーブル８，８が接続されており、それぞれのコネクタ８ａ，８ａがリアフレーム１の片側の側壁の取出口１ａ，１ａから外部へ取り出されるようになっている。
【００１５】
リアフレーム１の前面の開口縁には、Ｌ形の２つの樹脂フレーム４，４が方形枠状に組み合わされて取り付けられており、この樹脂フレーム４，４の上に、光学シートとして光拡散板５ａ及び光拡散シート５ｂの四周縁が載置されている。そして、これらの光学シート５ａ，５ｂの上に液晶パネル６が重ねられ、この液晶パネル６の四周縁が、方形枠状に組み合わされた２つのＬ形のベゼル７，７で押さえられて、脱落しないように取り付けられている。
【００１６】
図１，図２に示すように、液晶パネル６の上辺沿いには、矩形状のプリント配線基板９ａが配置されており、このプリント配線基板９ａと液晶パネル６には、ドライバＩＣチップ１０ａ（ソースドライバＩＣチップ）を実装した複数のフレキシブル配線板１１ａが接続されている。このプリント配線基板９ａは、図２に示すように、フレキシブル配線板１１ａを直角に湾曲させることによって、リアフレーム１の上側の側壁１ｂの上方へ取り出されており、該側壁１ｂから突き出した支持片１ｃに固定されている。
【００１７】
また、液晶パネル６の片側の側辺沿いにも、矩形状のプリント配線基板９ｂが配置されており、このプリント配線基板９ｂと液晶パネル６にも、ドライバＩＣチップ１０ｂ（ゲートドライバＩＣチップ）を実装した複数のフレキシブル配線板１１ｂが接続されている。そして、このプリント配線基板９ｂはリアフレーム１の片側の側壁の外側へ取り出されて、上記と同様に支持片に固定されている。
【００１８】
リアフレーム１の上側の側壁１ｂの上方へ取り出されて支持片１ｃに固定されたプリント配線基板９ａには、この液晶モジュールが組み込まれるテレビの操作スイッチＳＷが複数個並べて実装されており、スイッチ用電源やスイッチ信号を入力する配線が追加して形成されている。そして、図２に示すように、この液晶モジュールが組み込まれたテレビのキャビネット１２の天板１２ａには、それぞれの操作スイッチＳＷを操作する操作ボタン１３が複数並べて一体形成されている。尚、図２において、１５は液晶モジュールのリアフレーム１の背面に沿って取り付けられたメインプリント配線基板である。
【００１９】
上記の操作ボタン１３は、図３，図４に示すように、合成樹脂製のキャビネットの天板１２ａに櫛歯形の切込みを入れることによって複数のバネ片１３ａを一体形成すると共に、各バネ片１３ａの下面に凸部１３ｂを一体形成したものであり、図４に示すようにバネ片１３ａを指先で押すと、凸部１３ｂによって操作スイッチＳＷを操作できるようになっている。
【００２０】
以上の液晶モジュールのように、液晶パネル６の上辺に沿って配置、接続されたプリント配線基板９ａに操作スイッチＳＷを実装すると、従来の操作スイッチを実装するためのプリント配線基板が不要となり、その分だけ部品点数及び組立工数が減少するので、コストダウンを達成することができる。そして、この操作スイッチＳＷを操作する操作ボタン１３をキャビネット１２の天板１２ａに一体形成すると、別途、操作ボタンを取り付ける必要がなくなるので、その分についても部品点数や組立工数の増加を抑えることができ、また、キャビネットの天板１２ａに形成された操作ボタン１３は見やすく、押しやすいので、ボタンの操作性も向上することになる。
【００２１】
上記の液晶モジュールでは、操作ボタン１３をキャビネット天板１２ａに一体形成しているが、図５に示すように、操作ボタン１４を操作スイッチＳＷに直接固定し、この操作ボタン１４をキャビネット天板１２ａの穴から突出させて、操作ボタン１４を押すようにしてもよいし、また、操作ボタン１４を操作スイッチＳＷに直接固定しないで、キャビネット天板１２の穴に押し込み自在に取り付けるようにしてもよい。しかし、このように操作ボタン１４を準備して操作スイッチＳＷに固定したりキャビネット天板１２の穴に取り付ける場合は、部品点数及び組立工数が増してコストアップを招くことになるので、あまり好ましくない。
【００２２】
また、操作スイッチＳＷは、液晶パネル６の片側の側辺に沿って配置、接続されたプリント配線基板９ｂに実装してもよいが、その場合は、操作ボタン１３をキャビネット１２の側板に形成することになるので、操作ボタン１３が見づらくなり、あまり好ましくない。
【図面の簡単な説明】
【００２３】
【図１】本発明の一実施形態に係る液晶モジュールの概略分解斜視図である。
【図２】同液晶モジュールを組み込んだ薄型テレビの概略縦断面図である。
【図３】同薄型テレビのキャビネットの操作ボタンを一体形成した部分の斜視図である。
【図４】同薄型テレビのキャビネットの操作ボタンを指先で押した状態を示す拡大部分断面図である。
【図５】同液晶モジュールを組み込んだ他の薄型テレビの拡大部分断面図である。
【符号の説明】
【００２４】
１    リアフレーム
２    反射シート
３    冷陰極管（光源）
５ａ  光拡散板（光学シート）
５ｂ  光拡散シート（光学シート）
６  液晶パネル
９ａ，９ｂ  プリント配線基板
１０ａ，１０ｂ  フレキシブル配線板
１０ａ  ドライバＩＣチップ（ソースドライバＩＣチップ）
１０ｂ  ドライバＩＣチップ（ゲートドライバＩＣチップ）
１１ａ，１１ｂ  フレキシブル配線板
１２  キャビネット
１２ａ  天板
１３  キャビネットの天板に一体形成された操作ボタン
ＳＷ  電子機器の操作スイッチ
【図１】
2009098385.tif 000003
【図２】
2009098385.tif 000004
【図３】
2009098385.tif 000005
【図４】
2009098385.tif 000006
【図５】
2009098385.tif 000007